(57)【要約】【課題】充電装置の設置場所に対応する最新の位置情報を地図情報に反映させることで、タイムラグなく正確に充電装置の位置を利用者に提示できる充電装置、サーバおよびサーバのプログラムを提供する。【解決手段】充電装置各々から所定の時間になる送信される充電装置各々の設置場所の緯度と経度を示す位置情報と、充電装置を識別する識別情報と、を取得し、充電装置から取得した識別情報が地図情報の識別情報と一致したとき、充電装置から取得した位置情報に更新し、充電装置から取得した識別情報が地図情報の識別情報と一致しないとき、識別情報と識別情報とともに取得した位置情報とを地図情報に追加し、追加した位置情報を用いて表示位置を求めるサーバである。【選択図】図５
2013025444.tif 000002
【特許請求の範囲】
【請求項１】
充電装置各々が、前記充電装置の設置場所を示す緯度と経度を取得して位置情報を生成し、
前記充電装置各々が所定の時間になると、記憶部に記憶されている前記充電装置を識別する識別情報と、前記位置情報とをサーバに送信し、
前記サーバが、前記充電装置各々の設置場所を示す緯度と経度を取得して位置情報と、充電装置から充電装置を識別する識別情報と、を取得し、
前記サーバが、記憶部に記憶されている前記識別情報と位置情報と表示位置とが関連付けられている地図情報を参照し、前記充電装置から取得した前記識別情報が前記地図情報の識別情報と一致したとき、前記充電装置から取得した前記位置情報に更新し、
前記サーバが、前記充電装置から取得した前記識別情報が前記地図情報の識別情報と一致しないとき、該識別情報と前記識別情報とともに取得した前記位置情報を前記地図情報に追加し、追加した前記位置情報を用いて表示位置を求め、
前記サーバが、端末各々に地図情報を提供する、
ことを特徴とする充電システム。
【請求項２】
充電装置の設置場所を示す緯度と経度を取得して位置情報を生成する生成部と、
所定の時間になると、記憶部に記憶されている前記充電装置を識別する識別情報と、前記位置情報とをサーバに送信することを通信部に通知する制御部と、
を備えることを特徴とする充電装置。
【請求項３】
充電装置の設置場所を示す緯度と経度を取得して位置情報と、充電装置から充電装置を識別する識別情報と、を取得する通信部と、
記憶部に記憶されている識別情報と位置情報と表示位置とが関連付けられている地図情報を参照し、前記充電装置から取得した前記識別情報が前記地図情報の識別情報と一致したとき、前記充電装置から取得した前記位置情報に更新し、
前記充電装置から取得した前記識別情報が前記地図情報の識別情報と一致しないとき、該識別情報と前記識別情報とともに取得した前記位置情報を前記地図情報に追加し、前記位置情報を用いて表示位置を求める制御部と、
を備えることを特徴とするサーバ。
【請求項４】
コンピュータが、
充電装置の設置場所されている緯度と経度を取得して位置情報と、充電装置から充電装置を識別する識別情報と、を取得し、
記憶部に記憶されている識別情報と位置情報と表示位置とが関連付けられている地図情報を参照し、前記充電装置から取得した前記識別情報が前記地図情報の識別情報と一致したとき、前記充電装置から取得した前記位置情報に更新し、
前記充電装置から取得した前記識別情報が前記地図情報の識別情報と一致しないとき、該識別情報と前記識別情報とともに取得した前記位置情報を前記地図情報に追加し、前記位置情報を用いて表示位置を求める、
処理を実行することを特徴とするプログラム。
【発明の詳細な説明】
【技術分野】
【０００１】
本発明は、充電システム、充電装置、サーバおよびサーバのプログラムに関する。
【背景技術】
【０００２】
従来、据え置き型の車両用充電器がどこに設置されているかを利用者に知らせるため、車両のカーナビゲーションシステムの地図に設置場所を表示させている。しかし、充電器の設置から登録は人手に頼っているため、設置から登録までのタイムラグが発生して利用者に最新の設置場所を提供できないという問題がある。また、設置場所に対応する位置情報の入力に誤りが発生すると、正確な設置場所を利用者に提供できないという問題が想定される。さらに、近年では登録後に充電器の所有者が、充電器を設置場所以外に移動する場合も想定されるため、正確な設置場所を利用者に提供できないという問題が想定される。
【０００３】
関連する技術として、電気自動車の蓄積されている燃料に応じた走行可能距離を算出し、取得した位置を用いて走行可能距離内に存在する電気自動車用の充電スタンドの情報を抽出し、電気自動車に情報提供する技術が開示されている。その技術によれば、通信ネットワークより通知される電気自動車の位置情報、燃料の残容量を受信し、保存する位置燃料情報を取得する。そして、燃料ごとの平均走行距離を保存し、平均走行距離データベースと、取得した燃料の残容量とにより走行可能な距離を算出する。その後、充電スタンドの位置情報を充電スタンド情報データベースより取得し、受信した位置情報と前記取得した充電スタンドの位置情報と算出した走行可能な距離内に存在する充電スタンドの情報を抽出する。そして、抽出した充電スタンドの情報を通信ネットワーク介して外部に通知する。特許文献１を参照。
【０００４】
また、関連する技術として、電動車に交換容易に取り付けるバッテリと、バッテリに備えた識別情報を記憶させると共に現在電力保有容量を計算する電力情報装置と、電力情報装置の情報を送受信する送受信装置と、を備える装置が開示されている。またこの装置には送受信装置により通信回線を介したバッテリ管理手段を備え、劣化条件や放電条件等から残存電力保有容量を算出し、バッテリ管理手段は使用料金、管理費、所有者の確認等を行っている。さらに、送受信装置とGlobal Positioning System（ＧＰＳ）とにより位置情報端末から通信回線を介し、充電スタンド情報提供システムと接続されている。特許文献２を参照。
【先行技術文献】
【特許文献】
【０００５】
【特許文献１】特開２００７−１４８５９０号公報
【特許文献２】特開２００７−１１６７９９号公報
【発明の概要】
【発明が解決しようとする課題】
【０００６】
本発明は、充電装置の設置場所に対応する最新の位置情報を地図情報に反映させることで、タイムラグなく正確に充電装置の位置を利用者に提示できる充電システム、充電装置、サーバおよびサーバのプログラムを提供することを目的とする。
【課題を解決するための手段】
【０００７】
本発明の態様のひとつである充電システムは、充電装置各々が、上記充電装置の設置場所を示す緯度と経度を取得して位置情報を生成する。また、充電装置各々が所定の時間になると、記憶部に記憶されている上記充電装置を識別する識別情報と、上記位置情報と、をサーバに送信するために通信部に通知し、サーバに上記識別情報と上記位置情報とを送信する。
【０００８】
また、上記サーバが、上記充電装置各々の設置場所されている緯度と経度を取得して位置情報と、充電装置から充電装置を識別する識別情報と、を取得する。また、上記サーバが、記憶部に記憶されている識別情報と位置情報と表示位置とが関連付けられている地図情報を参照し、上記充電装置から取得した上記識別情報が上記地図情報の識別情報と一致したとき、上記充電装置から取得した上記位置情報に更新する。また、上記サーバが、上記充電装置から取得した上記識別情報が上記地図情報の識別情報と一致しないとき、該識別情報と上記識別情報とともに取得した上記位置情報を上記地図情報に追加し、上記位置情報を用いて表示位置を求める。
【０００９】
そして、上記サーバが、端末各々に地図情報を提供する。
【発明の効果】
【００１０】
実施の形態によれば、タイムラグなく正確に充電装置の位置を利用者に提示できるという効果を奏する。
【図面の簡単な説明】
【００１１】
【図１】充電システムの一実施例を示す図である。
【図２】充電装置のハードウェアの一実施例を示す図である。
【図３】サーバのハードウェアの一実施例を示す図である。
【図４】充電装置の動作の一実施例を示すフロー図である。
【図５】サーバの動作の一実施例を示す図である。
【図６】地図情報のデータ構造の一実施例を示す図である。
【図７】地図情報のデータ構造の一実施例を示す図である。
【発明を実施するための形態】
【００１２】
以下図面に基づいて、本発明の実施形態について詳細を説明する。
図１は、充電システムの一実施例を示す図である。図１に示す充電システムは、複数の充電装置１とネットワーク３を介して接続されるサーバ２を有している。サーバ２は、端末４各々に充電装置１各々の設置場所を示した地図を提供する。
【００１３】
充電装置１各々は、充電装置１の設置場所されている緯度と経度を取得して位置情報を生成する。そして、所定の時間になると、記憶部に記憶されている充電装置１を識別する識別情報と、位置情報と、をサーバに送信するために通信部に通知し、サーバ２に識別情報と位置情報とを送信する。充電装置１は充電設備であり、例えば、据え置き型の充電スタンドなどが考えられる。ただし、移動可能な充電スタンドであってもよい。
【００１４】
サーバ２は、充電装置１各々の設置場所されている緯度と経度を取得して位置情報と、充電装置から充電装置を識別する識別情報と、取得する。また、サーバ２は記憶部に記憶されている識別情報と位置情報と表示位置とが関連付けられている地図情報を参照し、充電装置から取得した識別情報が地図情報の識別情報と一致したとき、充電装置から取得した位置情報に更新する。また、サーバ２は充電装置から取得した識別情報が地図情報の識別情報と一致しないとき、該識別情報と識別情報とともに取得した位置情報を地図情報に追加し、位置情報を用いて表示位置を求める。なお、設置場所は特に限定されるものではないが、コンビニエンスストア、公共施設、充電ステーションなどが考えられる。サーバ２は、端末４各々に地図情報を提供する。
【００１５】
サーバ２は、ネットワーク３を介して充電装置１各々から充電装置１の設置場所に関する位置情報を収集し、利用者に提供するためのサーバ２が記憶する地図情報に、充電装置１各々の最新の位置を反映させる。また、サーバ２はインターネットなどの回線を接続可能であり、利用者の端末４へ充電装置１各々に関する情報を提供できる。
【００１６】
端末４は、例えば、personal computer（ＰＣ）、カーナビゲーションシステム、携帯電話、Personal Handy-phone System（ＰＨＳ）などが考えられる。
充電装置について説明する。
【００１７】
図２は、充電装置のハードウェアの一実施例を示す図である。コンピュータのハードウェアは、制御部２０１、記録部２０２、記録媒体読取装置２０３、入出力インタフェース２０４（入出力Ｉ／Ｆ）、通信インタフェース２０５（通信Ｉ／Ｆ）、充電部２０９、生成部２１３（Global Positioning System２１３（ＧＰＳ）を備えている）などを備えている。また、上記各構成部はバス２０６によってそれぞれ接続されている。
【００１８】
制御部２０１は、記録部２０２に格納されている充電装置１を動作させるプログラム（例えば、図４のフロー）を読み込んで実行し、充電装置１の各部を制御する。制御部２０１は、Central Processing Unit（ＣＰＵ）やプログラマブルなデバイス（Field Programmable Gate Array（ＦＰＧＡ）、Programmable Logic Device（ＰＬＤ）など）を用いてもよい。
【００１９】
記録部２０２には、プログラム、テーブル、データなどが記録されている。また、記録部２０２は、例えばRead Only Memory（ＲＯＭ）、Random Access Memory（ＲＡＭ）などのメモリである。また、記録部２０２は、パラメータ値、変数値などのデータを記録してもよいし、ワークエリアとして用いることもできる。
【００２０】
入出力装置２０８は、制御部２０１で生成した出力データを出力する。車両充電装置１から取得した情報を用いて出力部に充電可能範囲や車両充電装置１と車両の位置関係を出力する。入力部としては、キーボード、スイッチなどが考えられる。出力部としてディスプレイを有している場合には、ディスプレイに設けられたタッチパネルなどが入力部として考えられる。また、出力部は、ディスプレイ、スピーカなどが考えられる。
【００２１】
なお、カーナビゲーションシステムのハードウェアを利用して制御部２０１、記録部２０２の機能を実現してもよい。
記録媒体読取装置２０３は、制御部２０１の制御に従って記録媒体２０７に対するデータのリード／ライトを制御する。そして、記録媒体２０７に記録媒体読取装置２０３の制御で書き込まれたデータを記録させたり、記録媒体２０７に記憶されたデータを読み取らせたりする。また、着脱可能な記録媒体２０７は、コンピュータで読み取り可能なｎｏｎ−ｔｒａｎｓｉｔｏｒｙ（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc (ＤＶＤ)、ＤＶＤ−ＲＡＭ、Compact Disc Read Only Memory (ＣＤ−ＲＯＭ)、ＣＤ−Ｒ(Recordable)／ＲＷ(ReWritable)などがある。光磁気記録媒体には、Magneto-Optical disk (ＭＯ)などがある。なお、記録部２０２もnon-transitory（非一時的）な記録媒体に含まれる。
【００２２】
入出力インタフェース２０４は、入出力装置２０８が接続され、利用者が入力した情報を受信し、バス２０６を介して制御部２０１に送信する。また、制御部２０１からの命令に従ってディスプレイの画面上に操作情報などを表示する。入出力装置２０８は、入力部と出力部を備えている。
【００２３】
通信インタフェース２０５は、必要に応じ、他のコンピュータとの間のLocal Area Network（ＬＡＮ）接続やインターネット接続や無線接続を行うためのインタフェースである。また、他の装置に接続され、外部装置からのデータの入出力を制御する。
【００２４】
充電部２０９は、制御部２０１と接続され、系統電源からケーブル２１０を介して電力を受電し、ケーブル２１１を経由して直流または交流の電力を車両へ供給する。
生成部２１３は、ＧＰＳなどの機能を備え、位置情報を生成する。
【００２５】
このようなハードウェア構成を有するコンピュータを用いることによって、各種処理機能（例えば、図４のフロー）が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体２０７に記録しておくことができる。
【００２６】
プログラムを流通させる場合には、例えば、そのプログラムが記録されたＤＶＤ、ＣＤ−ＲＯＭなどの記録媒体２０７が販売される。また、プログラムをサーバコンピュータの記憶装置に格納しておき、ネットワークを介して、サーバコンピュータから他のコンピュータにそのプログラムを転送することもできる。
【００２７】
プログラムを実行するコンピュータは、例えば、記録媒体２０７に記録されたプログラムもしくはサーバコンピュータから転送されたプログラムを、自己の記録部２０２に格納する。そして、コンピュータは、自己の記録部２０２からプログラムを読み取り、プログラムに従った処理を実行する。なお、コンピュータは、記録媒体２０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００２８】
サーバについて説明する。
図３は、サーバ２のハードウェア構成の一実施例を示す図である。サーバ２のハードウェアは、制御部３０１、記録部３０２、記録媒体読取装置３０３、入出力インタフェース３０４（入出力Ｉ／Ｆ）、通信インタフェース３０５（通信Ｉ／Ｆ）などを備えている。また、上記各構成部はバス３０６によってそれぞれ接続されている。制御部３０１は、記録部３０２に格納されている後述するプログラム（例えば、図５のフロー）を実行する。
【００２９】
記録部３０２には、制御部３０１が実行するプログラムやデータが記録されている。また、ワークエリアなどとして使用される。記録部３０２は、例えば、ＲＯＭ、ＲＡＭ、ハードディスクドライブなどである。
【００３０】
記録媒体読取装置３０３は、制御部３０１の制御に従って記録媒体３０７に対するデータのリード／ライトを制御する。そして、記録媒体３０７に記録媒体読取装置３０３の制御で書き込まれたデータを記録させたり、記録媒体３０７に記憶されたデータを読み取らせたりする。また、着脱可能な記録媒体３０７は、コンピュータで読み取り可能なｎｏｎ−ｔｒａｎｓｉｔｏｒｙ（非一時的）な記録媒体として、磁気記録装置、光ディスク、光磁気記録媒体、半導体メモリなどがある。磁気記録装置には、ハードディスク装置（ＨＤＤ）などがある。光ディスクには、Digital Versatile Disc (ＤＶＤ)、ＤＶＤ−ＲＡＭ、Compact Disc Read Only Memory (ＣＤ−ＲＯＭ)、ＣＤ−Ｒ(Recordable)／ＲＷ(ReWritable)などがある。光磁気記録媒体には、Magneto-Optical disk (ＭＯ)などがある。なお、記録部３０２もnon-transitory（非一時的）な記録媒体に含まれる。
【００３１】
入出力インタフェース３０４は、入出力装置３０８が接続され、利用者が入力した情報を受信し、バス３０６を介して制御部３０１に送信する。また、制御部３０１からの命令に従ってディスプレイの画面上に操作情報などを表示する。入出力装置３０８は、入力部と出力部を備えている。
【００３２】
通信インタフェース３０５は、必要に応じ、他のコンピュータとの間のLocal Area Network（ＬＡＮ）接続やインターネット接続や無線接続を行うためのインタフェースである。また、他の装置に接続され、外部装置からのデータの入出力を制御する。
【００３３】
このようなハードウェア構成を有するコンピュータを用いることによって、各種処理機能（例えば、図５のフロー）が実現される。その場合システムが有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体３０７に記録しておくことができる。
【００３４】
プログラムを流通させる場合には、例えば、そのプログラムが記録されたＤＶＤ、ＣＤ−ＲＯＭなどの記録媒体３０７が販売される。また、プログラムをサーバコンピュータの記憶装置に格納しておき、ネットワークを介して、サーバコンピュータから他のコンピュータにそのプログラムを転送することもできる。
【００３５】
プログラムを実行するコンピュータは、例えば、記録媒体３０７に記録されたプログラムもしくはサーバコンピュータから転送されたプログラムを、自己の記録部３０２に格納する。そして、コンピュータは、自己の記録部３０２からプログラムを読み取り、プログラムに従った処理を実行する。なお、コンピュータは、記録媒体３０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【００３６】
充電装置の動作について説明する。
図４は、充電装置の動作の一実施例を示すフロー図である。ステップＳ４０１では、制御部２０１が位置情報を生成する。位置情報は、生成部２１３の有するＧＰＳ機能を用いて、現在充電装置１が設置されている緯度、経度を求めた情報を有する。
【００３７】
ステップＳ４０２では、制御部２０１が充電装置１に割り振られた識別情報と位置情報をサーバ２に送信する。例えば、識別情報と位置情報に通信に必要な情報を付加して、通信インタフェース２０５からサーバ２に送信をする。なお、サーバ２へ他の情報を付加して送信してもよい。例えば、識別情報と位置情報は、図４に示すテーブル４１のように示すことができる。本例では、識別情報として「ＩＤ１」が記憶され、位置情報として緯度、経度を示す情報「（ｉｄｏ１，ｋｅｉ１）」が記憶されている。
【００３８】
ステップＳ４０３では、制御部２０１がカウントを開始する。例えば、カウンタで一定周期ごとにカウント値を増加させる（カウント値ｎ＝ｎ＋１）。または時計ＩＣなどを用いて、時間を計測してもよい。
【００３９】
ステップＳ４０４で制御部２０１は、カウント値ｎが所定の時間に対応する閾値Ｎ以上であるか否かを判定し、閾値Ｎ以上である場合にはステップＳ４０５（Ｙｅｓ）に移行し、閾値Ｎより小さい場合にはステップＳ４０４（Ｎｏ）で待機する。
【００４０】
ステップＳ４０５では、制御部２０１がカウント値ｎをクリア（カウント値ｎ＝０）する。
サーバの動作について説明する。
【００４１】
図５は、サーバの動作の一実施例を示す図である。
ステップＳ５０１では、制御部３０１が充電装置１各々からの識別情報と位置情報を有する情報を受信する。
【００４２】
ステップＳ５０２では、制御部３０１が地図情報を検索する。地図情報は、識別情報と位置情報を有し、地図画像の表示位置と位置情報が関連付けられて記録されている。図６は、地図情報のデータ構造の一実施例を示す図である。地図情報６１は、「識別情報」「位置情報」「表示位置」の情報を記憶する。「識別情報」には、充電装置１各々を識別する識別情報が記憶されている。本例では、「ＩＤ１」「ＩＤ２」「ＩＤ３」「ＩＤ４」・・・・が記憶されている。「位置情報」には、「識別情報」に関連付けられた緯度、経度が記憶されている。本例では、（緯度、経度）を示す情報「（ｉｄｏ１，ｋｅｉ１）」「（ｉｄｏ２，ｋｅｉ２）」「（ｉｄｏ３，ｋｅｉ３）」「（ｉｄｏ４，ｋｅｉ４）」・・・・が記憶されている。「表示位置」には、例えば、利用者の有するカーナビゲーションシステムやＰＣなどの表示画面に表示される地図上に、充電装置１各々の設置場所を示すマークの位置（座標）を示す情報が記憶されている。本例では、充電装置１各々の設置場所を示すマークの位置（座標）として（Ｘ１，Ｙ１）（Ｘ２，Ｙ２）（Ｘ３，Ｙ３）（Ｘ４，Ｙ４）・・・・が記憶されている。
【００４３】
ステップＳ５０３では、制御部３０１が地図情報を参照して、識別情報と一致する充電装置があるか否かを判定し、一致する識別情報がある場合にはステップＳ５０４（Ｙｅｓ）に移行し、ない場合にはステップＳ５０６（Ｎｏ）に移行する。
【００４４】
ステップＳ５０４では、制御部３０１がステップＳ５０３で一致した識別情報に対応する位置情報と、地図情報の識別情報に対応する位置情報が一致するか否かを判定し、一致した場合には登録済みと判定してこの処理を終了し、一致しない場合にはステップＳ５０５（Ｎｏ）に移行する。
【００４５】
ステップＳ５０５では、制御部３０１が地図情報のステップＳ５０３で一致した識別情報に対応する位置情報を、今回受信した位置情報に更新する。また、位置情報を用いて今回情報を受信した充電装置１の設置場所を示す出力装置に表示する位置（座標）を求めて、「表示位置」の情報を更新する。
【００４６】
ステップＳ５０６では、制御部３０１が地図情報に、今回受信した識別情報、位置情報を追加する。その後、位置情報を用いて今回情報を受信した充電装置１の設置場所を示す出力装置に表示する位置（座標）を求めて、「表示位置」の情報を追加する。
【００４７】
なお、出力装置に表示する位置の求める方法は、例えば、既知の緯度と経度から出力装置の画像の座標を対応付ける技術を用いることが考えられる。
本実施の形態によれば、タイムラグなく正確に充電装置の位置を利用者に提示できるという効果を奏する。
【００４８】
他の実施形態について説明する。
地図情報は、さらに図７に示す情報を充電装置１ごとに有していてもよい。図７は、地図情報のデータ構造の一実施例を示す図である。
【００４９】
地図情報７１は、「ＩＤ」「情報設備・提供事業者」「管理主体」「最終更新日」「データ有効期間」「充電施設内の充電器個数」「充電施設名」「充電施設位置」「充電施設住所」などの情報を有している。「ＩＤ」は充電装置１を識別する情報が記憶されている。「充電施設位置」は充電装置１の設置場所の緯度・経度の情報が記憶されている。また、地図の種類に関する情報を記憶している。例えば、画面サイズなどである。
【００５０】
「情報設備・提供事業者」には、責任者情報として、組織名やその組織の住所が記憶されている。また、官民を区別する情報として、国、自治体、法人、個人を識別する情報が記憶されている。「管理主体」には、責任者情報として、組織名やその組織の住所が記憶されている。また、官民を区別する情報として、国、自治体、法人、個人を識別する情報が記憶されている。「最終更新日」は、最後に更新した年月日に関す情報が記憶されている。「データ有効期間」は、例えば、地図情報の該ＩＤに対応する情報の有効期間に関す情報が記憶されている。「充電施設内の充電器個数」、充電施設内の充電器個数に関す情報が記憶されている。「充電施設名」には、充電施設名の名称とその名称のフリガナに関す情報が記憶されている。「充電施設住所」には、充電施設の住所と住所を識別するコードに関す情報が記憶されている。
【００５１】
地図情報７２は、「ＩＤ」「情報設備・提供事業者」「管理主体」「最終更新日」「データ有効期間」「利用制限」「充電器位置」「充電器への出入口」「本体機器情報」などの情報を有している。「ＩＤ」は充電装置１を識別する情報が記憶されている。「充電器位置」は充電装置１の設置場所の緯度・経度と位置精度に関する情報が記憶されている。また、地図の種類に関する情報を記憶している。例えば、画面サイズなどである。また、高さ方向の位置に関する情報（例えば、標高）が記憶されている。
【００５２】
「情報設備・提供事業者」には、責任者情報として、組織名やその組織の住所が記憶されている。また、官民を区別する情報として、国、自治体、法人、個人を識別する情報が記憶されている。「管理主体」には、責任者情報として、組織名やその組織の住所が記憶されている。また、官民を区別する情報として、国、自治体、法人、個人を識別する情報が記憶されている。「最終更新日」は、最後に更新した年月日に関す情報が記憶されている。「データ有効期間」は、例えば、地図情報の該ＩＤに対応する情報の有効期間に関す情報が記憶されている。
【００５３】
「利用制限」には、制限の有無を示す情報、充電器の利用可能時間に関する情報が記憶されている。例えば、平日の開始時刻、終了時刻（開始日時、終了日時）、土曜日の開始時刻、終了時刻（開始日時、終了日時）、日曜日・祝日の開始時刻、終了時刻（開始日時、終了日時）に関する情報が記憶されている。その他、特記すべき制限内容に関する情報が記憶されている。例えば、メッセージなどが考えられる。
【００５４】
「充電器への出入口」には、充電ステーションなどの施設の出入口の緯度・経度、地図の種類、出入り口の種別、進入方向に関する情報が記憶されている。
「本体機器情報」には、充電装置１の種類として急速充電器であるか普通充電器を識別する情報、充電装置１の供給可能電力量、ケーブルの有り無し、コンセントプラグの形状、充電ケーブルの規格、充電プロトコル、メーカ名、型式、製造番号、充電コネクタの数、関連リンク先などの情報が記憶されている。
【００５５】
上記、地図情報を有することにより、タイムラグ無しで利用者に詳細な情報を提供することができる。
また、充電装置１のサーバ２への位置情報の送信は設置後、１回でもよいし１日に１回でもよい。
【００５６】
また、本発明は、上記実施の形態に限定されるものでなく、本発明の要旨を逸脱しない範囲内で種々の改良、変更が可能である。
【符号の説明】
【００５７】
１  充電装置
２  サーバ
３  ネットワーク
４  端末
６１  地図情報
７１  地図情報
７２  地図情報
２０１  制御部
２０２  記録部
２０３  記録媒体読取装置
２０３  入出力部
２０４  入出力インタフェース
２０５  通信インタフェース
２０６  バス
２０７  記録媒体
２０８  入出力装置
２０９  充電部
２１０  ケーブル
２１１  ケーブル
２１３  生成部
３０１  制御部
３０２  記録部
３０３  記録媒体読取装置
３０４  入出力インタフェース
３０５  通信インタフェース
３０６  バス
３０７  記録媒体
３０８  入出力装置
【図１】
2013025444.tif 000003
【図２】
2013025444.tif 000004
【図３】
2013025444.tif 000005
【図４】
2013025444.tif 000006
【図５】
2013025444.tif 000007
【図６】
2013025444.tif 000008
【図７】
2013025444.tif 000009